(57)【要約】【課題】駒を連結して構成しても、伸縮量を大にすることができ、かつ、装着感が良いンド、このバンドを備えた時計及びバンドの連結構造を提供する。【解決手段】バンド２０は、一方の駒２１Ａの凸部２２と他方の駒２１Ｂの凹部２３とを、バンド長さ方向及びバンド厚さ方向に移動可能に連結し、駒２１Ｂの凹部２３を、他方の駒２１Ａがバンド長さ方向に近接した場合に、他方の駒２１Ａの凸部２２が当接してこの凸部２２のバンド厚さ方向の移動を規制し、他方の駒２１Ａがバンド長さ方向に離れた場合には、他方の駒２１Ａの凸部２２との間に間隙が形成されるようにし、連結された駒２１が離れた場合にだけ、駒２１Ａと駒２１Ｂとがバンド厚さ方向にねじれるようにした。【選択図】      図２
2004290440.tif 000002
【特許請求の範囲】
【請求項１】
複数の駒を連結したバンドにおいて、
前記駒の端部を、この端部に連結される他の駒がバンド長さ方向に近接した場合に、前記他の駒の端部に当接して該端部のバンド厚さ方向の移動を規制し、前記他の駒の端部がバンド長さ方向に離れた場合には、前記他の駒の端部との間に、バンド厚さ方向に間隙を有する形状に形成し、前記駒の端部同士が離れた場合にだけ、これら端部同士がバンド厚さ方向にねじれるようにし、又は、バンド厚さ方向にずれるようにしたことを特徴とするバンド。
【請求項２】
前記駒の端部同士がバンド長さ方向に近接した場合に、これら端部のバンド厚さ方向の位置が揃うようにしたことを特徴とする請求項１に記載のバンド。
【請求項３】
前記各駒のバンド長さ方向の一方の端部は、バンド長さ方向に突出する凸形状に形成され、
前記各駒のバンド長さ方向の他方の端部は、前記他の駒がバンド長さ方向に近接した場合に、前記他の駒の前記凸形状の端部と係合する凹形状に形成されていることを特徴とする請求項１又は２に記載のバンド。
【請求項４】
前記各駒のバンド長さ方向の一方の端部には、連結ピンが固定され、
前記各駒のバンド長さ方向の他方の端部には、前記他の駒の端部に固定された前記連結ピンをバンド長さ方向及びバンド厚さ方向に移動可能に保持するこによって、これら駒の端部同士を、少なくともバンド長さ方向及びバンド厚さ方向に移動可能に連結する駒連結手段が設けられていることを特徴とする請求項１乃至３のいずれかに記載のバンド。
【請求項５】
前記駒の端部同士を引き寄せるための付勢手段を有することを特徴とする請求項１乃至４のいずれかに記載のバンド。
【請求項６】
時刻表示を行う時計本体と、この時計本体に連結されるバンドと、このバンドを留める留め具とを備える時計において、
前記駒の端部を、この端部に連結される他の駒がバンド長さ方向に近接した場合に、前記他の駒の端部に当接して該端部のバンド厚さ方向の移動を規制し、前記他の駒の端部がバンド長さ方向に離れた場合には、前記他の駒の端部との間に、バンド厚さ方向に間隙を有する形状に形成し、前記駒の端部同士が離れた場合にだけ、これら端部同士がバンド厚さ方向にねじれるようにし、又は、バンド厚さ方向にずれるようにしたことを特徴とする時計。
【請求項７】
前記バンドは、前記駒の端部同士がバンド長さ方向に近接した場合に、これら端部のバンド厚さ方向の位置が揃うようにされたことを特徴とする請求項６に記載の時計。
【請求項８】
前記バンドにおいて、
前記各駒のバンド長さ方向の一方の端部は、バンド長さ方向に突出する凸形状に形成され、
前記各駒のバンド長さ方向の他方の端部は、前記他の駒がバンド長さ方向に近接した場合に、前記他の駒の前記凸形状の端部と係合する凹形状に形成されていることを特徴とする請求項６又は７に記載の時計。
【請求項９】
前記バンドにおいて、
前記各駒のバンド長さ方向の一方の端部には、連結ピンが固定され、
前記各駒のバンド長さ方向の他方の端部には、前記他の駒の端部に固定された前記連結ピンをバンド長さ方向及びバンド厚さ方向に移動可能に保持するこによって、これら駒の端部同士を、少なくともバンド長さ方向及びバンド厚さ方向に移動可能に連結する駒連結手段が設けられていることを特徴とする請求項６乃至８のいずれかに記載の時計。
【請求項１０】
前記バンドは、前記駒の端部同士を引き寄せるための付勢手段を有することを特徴とする請求項６乃至９のいずれかに記載の時計。
【請求項１１】
複数の駒を連結したバンドの連結構造において、
前記駒の端部を、この端部に連結される他の駒がバンド長さ方向に近接した場合に、前記他の駒の端部に当接して該端部のバンド厚さ方向の移動を規制し、前記他の駒の端部がバンド長さ方向に離れた場合には、前記他の駒の端部との間に、バンド厚さ方向に間隙を有する形状に形成し、前記駒の端部同士が離れた場合にだけ、これら端部同士がバンド厚さ方向にねじれるようにし、又は、バンド厚さ方向にずれるようにしたことを特徴とするバンドの連結構造。
【請求項１２】
前記各駒のバンド長さ方向の一方の端部は、バンド長さ方向に突出する凸形状に形成され、
前記各駒のバンド長さ方向の他方の端部は、前記他の駒がバンド長さ方向に近接した場合に、前記他の駒の前記凸形状の端部と係合する凹形状に形成されていることを特徴とする請求項１１に記載のバンドの連結構造。
【発明の詳細な説明】
【０００１】
【発明の属する技術分野】
本発明は、バンド、このバンドを備えた時計及びバンドの連結構造に関する。
【０００２】
【従来の技術】
腕時計の金属製バンドは、厚みのある多数の駒を連結ピン等を用いて連結することにより構成されている。この駒は、連結ピンを中心として回転する、という自由度しか持っていないのが一般的である。
また、この種の金属製バンドにあっては、バンドを伸縮可能にしたものが提案されている（例えば、特許文献１参照）。この金属製バンドにあっては、隣接する駒の一方の駒のバンド短手方向に貫通孔を設け、この貫通孔をバンドの長さ方向に延長する長孔に形成し、この貫通孔に連結ピンを挿通し、この貫通孔の間隙に弾性部材を配設することによって、バンドに引張力が作用すると、上記弾性部材が圧縮して、駒と駒とがバンドの長さ方向に離れてバンドが伸びるように構成したものが提案されている。また、連結ピンの外周に環状の弾性部材を設けることによって、バンドの引張力に応じて駒同士が離れ、バンドが伸縮するように構成したものも提案されている。
【０００３】
【特許文献１】
特開２０００−４９１４号公報
【０００４】
【発明が解決しようとする課題】
しかしながら、上述した伸縮可能な金属製バンドにあっては、連結用の貫通孔を長孔にした構成の場合、駒同士が離れる方向が、この長孔の延長方向（バンドの長さ方向）に制限される。このため、金属製バンドをバンド面に対して略垂直方向に曲げようとする力が加わると、例えば、腕時計が手の甲近くに装着されている場合に手首が上方向（甲の方向）に曲げられると、腕時計が手の甲に食い込み、良好な装着感が得られないばかりか、手の甲の損傷を引き起こすおそれがある。
また、連結ピンの外周に環状の弾性部材を設けた構成の場合、弾性部材の圧縮量が駒同士が離れる距離となるため、バンドの伸縮量を多くとることができない。このため、例えば、腕時計が手の甲近くにある場合に手首が大きく上方向（甲の方向）に曲げられると、バンドの伸縮量が足りず、バンドが手の甲に食い込み、良好な装着感が得られないばかりか、手の甲の損傷を引き起こすおそれがある。
【０００５】
そこで、本発明の目的は、上述した従来の技術が有する課題を解消し、駒を連結して構成しても、伸縮量を大にすることができ、かつ、装着感が良いバンド、このバンドを備えた時計及びバンドの連結構造を提供することにある。
【０００６】
【課題を解決するための手段】
上述課題を解決するため、請求項１記載の発明は、複数の駒を連結したバンドにおいて、前記駒の端部を、この端部に連結される他の駒がバンド長さ方向に近接した場合に、前記他の駒の端部に当接して該端部のバンド厚さ方向の移動を規制し、前記他の駒の端部がバンド長さ方向に離れた場合には、前記他の駒の端部との間に、バンド厚さ方向に間隙を有する形状に形成し、前記駒の端部同士が離れた場合にだけ、これら端部同士がバンド厚さ方向にねじれるようにし、又は、バンド厚さ方向にずれるようにしたことを特徴とする。この構成によれば、駒の端部同士が離れた場合にだけ、これら端部同士がバンド厚さ方向にねじれるようにし、又は、バンド厚さ方向にずれるようにしているので、駒のバンド長さ方向の伸縮量やバンド厚さ方向のねじれ量を多くとることができる。これにより、このバンドの装着部位の大きな動きに合わせてバンドが柔軟に変形することが可能となる。
【０００７】
また、請求項２に記載の発明は、請求項１に記載の構成において、前記駒の端部同士がバンド長さ方向に近接した場合に、これら端部のバンド厚さ方向の位置が揃うようにしたことを特徴とする。
また、請求項３に記載の発明は、請求項１又は２に記載の構成において、前記各駒のバンド長さ方向の一方の端部は、バンド長さ方向に突出する凸形状に形成され、前記各駒のバンド長さ方向の他方の端部は、前記他の駒がバンド長さ方向に近接した場合に、前記他の駒の前記凸形状の端部と係合する凹形状に形成されていることを特徴とする。
【０００８】
また、請求項４に記載の発明は、請求項１乃至３のいずれかに記載の構成において、前記各駒のバンド長さ方向の一方の端部には、連結ピンが固定され、前記各駒のバンド長さ方向の他方の端部には、前記他の駒の端部に固定された前記連結ピンをバンド長さ方向及びバンド厚さ方向に移動可能に保持するこによって、これら駒の端部同士を、少なくともバンド長さ方向及びバンド厚さ方向に移動可能に連結する駒連結手段が設けられていることを特徴とする。
また、請求項５に記載の発明は、請求項１乃至４のいずれかに記載の構成において、前記駒の端部同士を引き寄せるための付勢手段を有することを特徴とする。
【０００９】
また、請求項６に記載の発明は、時刻表示を行う時計本体と、この時計本体に連結されるバンドと、このバンドを留める留め具とを備える時計において、
前記駒の端部を、この端部に連結される他の駒がバンド長さ方向に近接した場合に、前記他の駒の端部に当接して該端部のバンド厚さ方向の移動を規制し、前記他の駒の端部がバンド長さ方向に離れた場合には、前記他の駒の端部との間に、バンド厚さ方向に間隙を有する形状に形成し、前記駒の端部同士が離れた場合にだけ、これら端部同士がバンド厚さ方向にねじれるようにし、又は、バンド厚さ方向にずれるようにしたことを特徴とする。この構成によれば、駒の端部同士が離れた場合にだけ、これら端部同士がバンド厚さ方向にねじれるようにし、又は、バンド厚さ方向にずれるようにしているので、駒のバンド長さ方向の伸縮量やバンド厚さ方向のねじれ量を多くとることができる。これにより、このバンドの装着部位の大きな動きに合わせてバンドが柔軟に変形することが可能となる。
【００１０】
また、請求項７に記載の発明は、請求項６に記載の構成において、前記バンドは、前記駒の端部同士がバンド長さ方向に近接した場合に、これら端部のバンド厚さ方向の位置が揃うようにされたことを特徴とする。
また、請求項８に記載の発明は、請求項６又は７に記載の構成において、前記バンドの前記各駒のバンド長さ方向の一方の端部は、バンド長さ方向に突出する凸形状に形成され、前記各駒のバンド長さ方向の他方の端部は、前記他の駒がバンド長さ方向に近接した場合に、前記他の駒の前記凸形状の端部と係合する凹形状に形成されていることを特徴とする。
【００１１】
また、請求項９に記載の発明は、請求項６乃至８のいずれかに記載の構成において、前記バンドの前記各駒のバンド長さ方向の一方の端部には、連結ピンが固定され、前記各駒のバンド長さ方向の他方の端部には、前記他の駒の端部に固定された前記連結ピンをバンド長さ方向及びバンド厚さ方向に移動可能に保持するこによって、これら駒の端部同士を、少なくともバンド長さ方向及びバンド厚さ方向に移動可能に連結する駒連結手段が設けられていることを特徴とする。
また、請求項１０に記載の発明は、前記バンドは、請求項６乃至９のいずれかに記載の構成において、前記駒の端部同士を引き寄せるための付勢手段を有することを特徴とする。
【００１２】
また、請求項１１に記載の発明は、複数の駒を連結したバンドの連結構造において、前記駒の端部を、この端部に連結される他の駒がバンド長さ方向に近接した場合に、前記他の駒の端部に当接して該端部のバンド厚さ方向の移動を規制し、前記他の駒の端部がバンド長さ方向に離れた場合には、前記他の駒の端部との間に、バンド厚さ方向に間隙を有する形状に形成し、前記駒の端部同士が離れた場合にだけ、これら端部同士がバンド厚さ方向にねじれるようにし、又は、バンド厚さ方向にずれるようにしたことを特徴とする。この構成によれば、駒の端部同士が離れた場合にだけ、これら端部同士がバンド厚さ方向にねじれるようにし、又は、バンド厚さ方向にずれるようにしているので、駒のバンド長さ方向の伸縮量やバンド厚さ方向のねじれ量を多くとることができる。これにより、このバンドの装着部位の大きな動きに合わせてバンドが柔軟に変形することが可能となる。
【００１３】
また、請求項１２に記載の発明は、請求項１１に記載の構成において、前記各駒のバンド長さ方向の一方の端部は、バンド長さ方向に突出する凸形状に形成され、前記各駒のバンド長さ方向の他方の端部は、前記他の駒がバンド長さ方向に近接した場合に、前記他の駒の前記凸形状の端部と係合する凹形状に形成されていることを特徴とする。
【００１４】
【発明の実施の形態】
以下、図面を参照して本発明の実施形態を詳述する。
図１は、本発明の実施形態に係る腕時計の外観構成を示す図である。この腕時計１は、時刻表示を行う時計本体１０と、この時計本体１０に連結されたバンド２０とから構成されている。時計本体１０は、ステンレス、チタン等で形成された金属ケース１１内に、時計表示部１２が内蔵されて構成される。なお、本実施形態では、時刻をアナログ表示する腕時計を例示したが、時刻をデジタル表示する腕時計であってもよい。
【００１５】
バンド２０は、ステンレス、チタン等の金属材料で形成された駒２１を多数連結して構成され、時計本体１０の金属ケース１１に連結ピン（図示略）を介して連結される。なお、図示は省略するが、このバンド２０には、このバンド２０を、この腕時計１の装着部位（装着者の手首）に合わせた長さで留めるための留め具（二ツ折方式、三ツ折方式、両開き方式など）が設けられている。
【００１６】
図２は、このバンド２０の駒２１を分離した状態を示す斜視図である。以下、説明の便宜上、隣接する駒２１を区別する必要があるときは、一方の駒２１を駒２１Ａと表記し、他方の駒２１を駒２１Ｂと表記する（図２参照）。
同図に示すように、駒２１は、バンド２０の長さ方向（矢印Ｙ方向）の一端に、バンド２０の長さ方向（矢印Ｙ方向）に略くの字状（略Ｖの字状）に突出する凸部２２が形成され、他端に、バンド２０の長さ方向（矢印Ｙ方向）に略くの字状に凹んだ凹部２３が形成される。すなわち、駒２１のバンド２０の長さ方向の両端部は、ほぼ係合可能な形状に形成される。
【００１７】
これら凸部２２及び凹部２３の形状を詳細に説明する。図３にバンド２０の側面図を示すように、凸部２２は、略くの字の頂点部分２２Ａが略真円の円弧形状に形成され、凹部２３は、略くの字の頂点部分２３Ａが、この凸部２２の頂点部分２２Ａにほぼ隙間無く当接する曲面に形成される。
また、同図に示すように、凸部２２と凹部２３の頂点部分２２Ａ、２３Ａ以外の面は、緩やかな曲面を描き、その曲面は、凹部２３の面の方が、凸部２２の面よりもやや緩やかな曲面に形成され、凸部２２と凹部２３との間に空隙が形成されるように形成されている。なお、凸部２２と凹部２３の頂点部分２２Ａ、２３Ａ以外の面を平坦の斜面にしても同様の効果を得ることができる。
【００１８】
これらにより、駒２１Ａの凸部２２と、他の駒２１Ｂの凹部２３とが近づくと、駒２１Ａの凸部２２が駒２１Ｂの凹部２３の面に沿って移動し、凸部２２の頂点部分２２Ａが凹部２３の頂点部分２３Ａに当接する位置に案内される。すなわち、駒２１Ａと駒２１Ｂとをバンド２０の長さ方向に近接した場合、図３に示すように、駒２１Ａの端部である凸部２２と、駒２１Ｂの端部である凹部２３とのバンド２０の厚さ方向（矢印Ｚ方向の位置）の位置が揃うようになっている。
さらに、このバンド２０は、このように隣接された駒２１の凸部２２と凹部２３とが当接した状態でも、凸部２２及び凹部２３の頂点部分２２Ａ及び２３Ａが略真円の円弧形状に形成され、かつ、凸部２２と凹部２３との間に空隙が設けられているので、図４に示すように、この当接した状態のまま、駒２１Ａ及び駒２１Ｂを後述する連結ピン３０を中心に回転することができる。
【００１９】
さて、前掲図２に示すように、これら凸部２２及び凹部２３は、各駒２１のバンド２０の幅方向（矢印Ｘ方向）の両端側に設けられている。また、凸部２２には、バンド２０の幅方向（矢印Ｘ方向）に延びる貫通孔（ピン孔）２４が形成される。この貫通孔２４には、上記したように、連結ピン３０が挿通される。従って、凸部２２に挿通された連結ピン３０は、その中央部分３０Ａが外に露出するように構成されている。この連結ピン３０の露出部分である中央部分３０Ａは、隣接する駒２１Ｂに網けらた付勢機構（付勢手段）４０によっての駒２１Ｂ側に付勢される。
【００２０】
詳述すると、前掲図２に示すように、付勢機構４０は、駒２１Ｂ（より詳しくは駒２１Ｂの凹部２３）に対し、バンド２０の長さ方向（矢印Ｙ方向）に移動可能に固定される付勢部材４１と、この付勢部材４１を当該駒２１Ｂの凸部２２側に付勢するためのばね４２とから概略構成される。ここで、付勢部材４１は、バンド２０の長さ方向（矢印Ｙ方向）に延びる長孔４１Ａが形成され、この長孔４１を介してねじピン４３によって駒２１Ｂの付勢機構支持部２７に固定されることにより、バンド２０の長さ方向（矢印Ｙ方向）に移動可能に固定される。また、この付勢部材４１は、隣接する駒２１Ａ側の端部４１Ｂが２段に折れ曲がり、図５（Ａ）に示すように、この付勢部材４１の端部４１Ｂと、駒２１Ｂの付勢機構支持部２７とによって囲まれる空間に、上記連結ピン３０が配置されるようになっている。
【００２１】
このように、付勢機構４０は、隣接する駒２１Ａに固定された連結ピン３０を当該駒２１Ｂ側に付勢するので、隣接する駒２１Ａを引き寄せる付勢手段として機能する。また、付勢機構４０は、付勢部材４１の端部４１Ｂの内部に連結ピン３０を配置しているので、連結ピン３０が端部４１Ｂの内部空間内でのみ移動可能である。従って、付勢機構４０は、連結ピン３０のバンド２０の長さ方向及び厚さ方向への脱落を防止すると共に、連結された駒２１を、バンド２０の長さ方向（矢印Ｙ方向）及びバンド２０の厚さ方向（矢印Ｚ方向）に移動可能に連結する駒連結手段としても機能するようになっている。なお、前掲図２に示すように、連結ピン３０は、露出する中央部分３０Ａが細く形成され、この中央部分３０Ａに付勢部材４１が引っ掛かるので、連結ピン３０の抜けを確実に防止することができる。
【００２２】
これにより、このバンド２０においては、連結された駒２１Ａ及び駒２１Ｂに何ら力がかかっていない場合は、付勢機構４０によりこれら駒２１Ａ及び２１Ｂをバンド２０の長さ方向（矢印Ｙ方向）に近接させることができる。この場合、一方の駒２１Ａの端部である凸部２２が、他の駒２１Ｂの端部である凹部２３の面に沿って移動するので、図５（Ａ）及び図３に示すように、凸部２２の頂点部分２２Ａが凹部２３の頂点部分２３Ａに当接し、これら駒２１Ａ及び駒２１Ｂの各端部のバンド２０の厚さ方向（矢印Ｚ方向）の位置を揃えることができる。すなわち、このバンド２０は、連結された駒２１が引き寄せられると、これら駒２１は隙間や段差がない状態に自動的に位置決めされるようになっている。
【００２３】
一方、連結された駒２１Ａ及び駒２１Ｂを離す力が働くと、図５（Ｂ）に示すように、付勢部材４１のばね４２の付勢力に抗して連結ピン３０が当該駒２１Ｂの凹部２３側に移動し、これら駒２１Ａ及び駒２１Ｂがバンド２０の長さ方向（矢印Ｙ方向）に離れる。この場合、駒２１Ａの凸部２２と、駒２１Ｂの凹部２３との間には、バンド２０の厚さ方向（矢印Ｚ方向）に間隙Ｌが形成されるので、連結ピン３０は、この間隙Ｌの範囲内（又は付勢部材４１の端部４１Ｂによって規制される移動範囲内）で自由にバンド２０の厚さ方向（矢印Ｚ方向）に移動することが可能となる。
【００２４】
これにより、このバンド２０は、連結された駒２１が離れると、図６（Ａ）に示すように、これら駒２１をバンド２０の長さ方向に離したり、図６（Ｂ）に示すように、これら駒２１をバンド２０の厚さ方向にねじることができる。
このように、連結された駒２１がバンド２０の長さ方向やバンド２０の厚さ方向に柔軟に動くことができるので、このバンド２０（腕時計１）が手の甲近くに装着されている場合に、手首が手の甲側に大きく曲げられ、バンド２０をバンド面に対して略垂直方向に曲げる力がかかると、その力に応じて駒２１がバンド２０の長さ方向に延び、かつ、バンド２０の厚さ方向にねじれるので、バンド２０が手首の動きに合わせて柔軟に変形し、手の甲に食い込むことがなく、また、良好な装着感を付与することができる。
【００２５】
以上説明したように、本実施形態の腕時計１によれば、一方の駒２１の凸部２２と他方の駒２１の凹部２３とを、バンド長さ方向及びバンド厚さ方向に移動可能に連結し、駒２１の凹部２３を、他方の駒２１がバンド長さ方向に近接した場合に、他方の駒２１の凸部２２が当接してこの凸部２２のバンド厚さ方向の移動を規制し、他方の駒２１がバンド長さ方向に離れた場合には、他方の駒２１の凸部２２との間に間隙が形成されるようにしたことにより、連結された駒２１が離れた場合にだけ、これら駒２１をバンド厚さ方向にずらしたり、ねじることができる。
【００２６】
また、このように、駒２１の端部（凸部２２及び凹部２３）の外形形状によって、連結された駒２１のバンド厚さ方向の移動範囲を決めているので、連結ピンの外周に環状の弾性部材を設けた従来のバンドに比して、駒２１の移動量（バンド厚さ方向のねじれ量やずれ量）を多くとることができ、移動範囲の調整（設計）を簡易にすることができる。さらに、付勢機構４０によって駒２１を常時引き寄せる方向に付勢するので、良好な装着感を付与でき、かつ、駒２１に何ら力が加わっていない場合は、各駒２１の端部の位置が自動的に揃い、隙間や段差がなくした状態に戻ることが可能である。
【００２７】
なお、上記した連結ピン３０は、ピンに限らず、ばね棒、ねじ等でもよく、また、ばね４２は、コイルばねに限らず、板ばねでもよく、ゴム等の他の弾性部材を用いてもよい。
【００２８】
＜変形例＞
上述した実施形態は、あくまでも本発明の一態様を示すものであり、本発明の範囲内で任意に変形が可能である。そこで、以下に変形例について例示する。
【００２９】
（１）  上述した実施形態の付勢機構４０は、上記構成に限らない。例えば、図７に示すように、付勢部材４１のバンド２０の長さ方向の両端側からねじピン４３Ａ及び４３Ｂを挿通してもよい。この場合、ねじピンがバンド２０の外観に露出しない構成を採ることができる。ここで、図８（Ａ）は、連結された駒２１が近接している場合の駒２１の断面図であり、図８（Ｂ）は、連結された駒２１が離れている場合の駒２１の断面図である。これら図に示すように、この構成においても、駒２１をバンド２０の長さ方向（矢印Ｙ方向）に離すと間隙Ｌが形成され、駒２１をバンド２０の厚さ方向（矢印Ｚ方向）に移動することが可能となる。
【００３０】
（２）  上述した実施形態では、駒２１の一方の端部を凸形状にし、他方の端部を凹形状にする場合について述べたが、このような形状には限定されない。要は、連結された駒２１が離れた場合にだけ、各駒２１をバンド厚さ方向にずらしたり、若しくは、ねじることができる形状であればよい。
【００３１】
（３）  上述した実施形態では、腕時計のバンドに本発明を適用する場合について述べたが、腕時計以外の時計のバンドや、時計バンド以外のバンドに広く適用が可能である。
【００３２】
（４）  また、上述した実施の形態では、金属製バンドを例に説明したが、要は、複数の駒を連結した構成のバンドであればよく、駒の材質は樹脂又はゴム等でもよく、金属材料に限定されない。
【００３３】
【発明の効果】
上述したように本発明によれば、駒を連結して構成しても、伸縮量を大にすることができ、かつ、装着感が良いバンド及びこのバンドを備えた時計を提供することができる。
【図面の簡単な説明】
【図１】本発明の実施形態に係る腕時計の外観構成を示す図である。
【図２】同腕時計のバンドの駒を分解した状態を示す斜視図である。
【図３】同バンドの側面図である。
【図４】同バンドの側面図である。
【図５】図５（Ａ）は、同バンドの駒が近接している場合の駒の断面図であり、図５（Ｂ）は、同バンドの駒が離れている場合の駒の断面図である。
【図６】図６（Ａ）は、同駒をバンドの長さ方向に離した状態を示す斜視図であり、図６（Ｂ）は、同駒をバンドの厚さ方向にねじった状態を示す斜視図である。
【図７】変形例に係るバンドの駒を分解した状態を示す斜視図である。
【図８】図８（Ａ）は、同駒が近接している場合の駒の断面図であり、図８（Ｂ）は、駒が離れている場合の駒の断面図である。
【符号の説明】
１…腕時計、１０…時計本体、２０…バンド、２１、２１Ａ、２１Ｂ…駒、２２…凸部、２３…凹部、２４…貫通孔、３０…連結ピン、４０…付勢機構
【図１】
2004290440.tif 000003
【図２】
2004290440.tif 000004
【図３】
2004290440.tif 000005
【図４】
2004290440.tif 000006
【図５】
2004290440.tif 000007
【図６】
2004290440.tif 000008
【図７】
2004290440.tif 000009
【図８】
2004290440.tif 000010